(57)【要約】【課題】高温温度センサーの異常発生時でも高温暖房が可能な温水暖房装置を提供する。【解決手段】高温暖房時には顕熱熱交換器で加熱された高温の温水を高温端末に供給し、低温暖房時には、温水タンクに溜められた低温の温水を低温端末に供給する。高温暖房時は顕熱熱交換器から流出する温水の温度を高温温度センサーで検出して、温水の温度が所定の高温目標温度に近付くようにバーナーの運転を制御する。低温暖房時には、温水タンクから流出する温水の温度を低温温度センサーで検出して、温水の温度が所定の低温目標温度に近付くようにバーナーの運転を制御する。高温暖房時の高温温度センサーの異常発生中は、低温温度センサーで検出した温水の温度が、高温目標温度よりも低い代用高温目標温度を下回っている場合に、バーナーを燃焼させて温水を加熱することによって高温暖房を行う。【選択図】図５
2017172949.tif 000002
【特許請求の範囲】
【請求項１】
バーナーで加熱した温水を高温端末に供給することによって高温暖房を行い、前記高温端末に供給する温水よりも低温の温水を低温端末に供給することによって低温暖房を行う温水暖房装置において、
前記バーナーで生成された燃焼排ガスと熱交換することによって前記温水を加熱する顕熱熱交換器と、
前記高温端末または前記低温端末で放熱した後の前記温水が溜められる温水タンクと、
前記温水タンク内の前記温水を前記顕熱熱交換器に向けて圧送する温水ポンプと、
前記顕熱熱交換器で加熱された前記温水を前記高温端末に向けて出湯する高温温水配管と、
前記温水ポンプと前記顕熱熱交換器とを接続する接続温水配管から分岐することによって、前記顕熱熱交換器で加熱される前の前記温水を、前記低温端末に向けて出湯する低温温水配管と、
前記高温温水配管から分岐して、該高温温水配管を流れる前記温水の一部を前記温水タンクに還流させることによって、前記高温端末をバイパスさせるバイパス配管と、
前記顕熱熱交換器の下流側で前記温水の温度を検出する高温温度センサーと、
前記温水ポンプの下流側で前記温水の温度を検出する低温温度センサーと、
前記低温暖房時には前記低温温度センサーで検出した前記温水の温度を所定の低温目標温度に近付けるように前記バーナーの燃焼を制御し、前記高温暖房時には前記高温温度センサーで検出した前記温水の温度を所定の高温目標温度に近付けるように前記バーナーの燃焼を制御する制御部と
を備え、
前記制御部は、前記高温温度センサーの異常発生中に前記高温暖房を行う場合には、前記低温温度センサーで検出した前記温水の温度が、前記高温目標温度よりも低い温度に設定された代用高温目標温度を下回っている場合に、前記バーナーを燃焼させることによって前記温水を加熱する
ことを特徴とする温水暖房装置。
【請求項２】
請求項１に記載の温水暖房装置において、
前記制御部は、前記低温温度センサーで検出した前記温水の温度に基づいて前記高温暖房を行っている時に、前記低温温度センサーで検出した前記温水の温度が、時間あたりに所定の許容増加量以上に増加した場合には、前記バーナーの燃焼を停止させる
ことを特徴とする温水暖房装置。
【請求項３】
請求項１または請求項２に記載の温水暖房装置において、
前記顕熱熱交換器で熱交換した前記燃焼排ガスと更に熱交換して該燃焼排ガス中の水蒸気が凝集する時の潜熱を回収することにより、前記顕熱熱交換器で加熱される前の前記温水を予備加熱する潜熱熱交換器を備え、
前記温水タンクは、前記高温端末または前記低温端末で放熱した後に前記潜熱熱交換器で予備加熱された前記温水が溜められる温水タンクであり、
前記制御部は、前記低温温度センサーで検出した前記温水の温度に基づいて前記高温暖房を行っている時に、前記低温温度センサーで検出した前記温水の温度が、所定の限界温度を超えた場合には、前記バーナーの燃焼を停止させる
ことを特徴とする温水暖房装置。
【請求項４】
請求項１ないし請求項３の何れか一項に記載の温水暖房装置において、
前記制御部は、前記高温温度センサーで検出した前記温水の温度が、前記低温温度センサーで検出した前記温水の温度よりも低くなった場合には、前記高温温度センサーが故障したものと判断する
ことを特徴とする温水暖房装置。
【発明の詳細な説明】
【技術分野】
【０００１】
本発明は、高温端末や低温端末に温水を供給して暖房等を行う温水暖房装置に関する。
【背景技術】
【０００２】
給湯器で生成した温水を床マットに供給することによって床暖房を行う温水暖房装置は広く知られている。給湯器から床マットに温水を供給すると、温水の熱が床マットで放熱されることによって床暖房が行われ、この時に放熱して冷やされた温水は給湯器に戻される。そして、給湯器で再び加熱された後、床マットに供給されて床暖房を継続する。また、このような温水暖房装置の中には、給湯器で生成した温水を浴室暖房器に供給することによって、浴室暖房を行うことも可能な温水暖房装置も存在する。
【０００３】
このように床暖房と浴室暖房とが可能な温水暖房装置では、床暖房時には床マットに低温の温水を供給する必要があり、浴室暖房時には浴室暖房器に高温の温水を供給する必要がある。そこで、床マットに低温の温水を供給するための温水配管と、浴室暖房器に高温の温水を供給するための温水配管のそれぞれに温度センサーを搭載しておき、温度センサーの出力に基づいて給湯器の燃焼運転を制御している。例えば床暖房時には、低温の温水を供給するための温水配管に搭載した温度センサー（以下、低温温度センサー）の出力が、所定の低温目標温度となるように、給湯器の燃焼運転を制御する。また、浴室暖房時には、高温の温水を供給するための温水配管に搭載した温度センサー（以下、高温温度センサー）の出力が、所定の高温目標温度となるように、給湯器の燃焼運転を制御する。尚、床マットのように低温の温水が供給される温水端末は、「低温端末」と呼ばれることがあり、浴室暖房器のように高温の温水が供給される温水端末は、「高温端末」と呼ばれることがある。
【０００４】
このように、２つの温度センサーを搭載した温水暖房装置では、温度センサーが故障すると暖房運転ができなくなる。そこで、低温温度センサーが故障した場合には、床マットなどの低温端末に供給される温水の温度を、高温温度センサーの出力に基づいて制御する技術が提案されている。この提案の技術に依れば、低温温度センサーが故障した場合でも、床暖房などの低温暖房を行うことが可能となる（特許文献１）。
【先行技術文献】
【特許文献】
【０００５】
【特許文献１】特開平１１−１０１４５０号公報
【発明の概要】
【発明が解決しようとする課題】
【０００６】
しかし、低温温度センサーと同様に、高温温度センサーも故障する可能性があり、高温温度センサーが故障した場合には、浴室暖房などの高温暖房ができなくなるという問題があった。
【０００７】
この発明は、従来の技術が有する上述した課題に対応してなされたものであり、高温温度センサーが故障した場合でも、浴室暖房などの高温暖房が可能な温水暖房装置を提供することを目的とする。
【課題を解決するための手段】
【０００８】
上述した課題を解決するために、本発明の温水暖房装置は次の構成を採用した。すなわち、
バーナーで加熱した温水を高温端末に供給することによって高温暖房を行い、前記高温端末に供給する温水よりも低温の温水を低温端末に供給することによって低温暖房を行う温水暖房装置において、
前記バーナーで生成された燃焼排ガスと熱交換することによって前記温水を加熱する顕熱熱交換器と、
前記高温端末または前記低温端末で放熱した後の前記温水が溜められる温水タンクと、
前記温水タンク内の前記温水を前記顕熱熱交換器に向けて圧送する温水ポンプと、
前記顕熱熱交換器で加熱された前記温水を前記高温端末に向けて出湯する高温温水配管と、
前記温水ポンプと前記顕熱熱交換器とを接続する接続温水配管から分岐することによって、前記顕熱熱交換器で加熱される前の前記温水を、前記低温端末に向けて出湯する低温温水配管と、
前記高温温水配管から分岐して、該高温温水配管を流れる前記温水の一部を前記温水タンクに還流させることによって、前記高温端末をバイパスさせるバイパス配管と、
前記顕熱熱交換器の下流側で前記温水の温度を検出する高温温度センサーと、
前記温水ポンプの下流側で前記温水の温度を検出する低温温度センサーと、
前記低温暖房時には前記低温温度センサーで検出した前記温水の温度を所定の低温目標温度に近付けるように前記バーナーの燃焼を制御し、前記高温暖房時には前記高温温度センサーで検出した前記温水の温度を所定の高温目標温度に近付けるように前記バーナーの燃焼を制御する制御部と
を備え、
前記制御部は、前記高温温度センサーの異常発生中に前記高温暖房を行う場合には、前記低温温度センサーで検出した前記温水の温度が、前記高温目標温度よりも低い温度に設定された代用高温目標温度を下回っている場合に、前記バーナーを燃焼させることによって前記温水を加熱する
ことを特徴とする。
【０００９】
かかる本発明の温水暖房装置においては、高温暖房時には顕熱熱交換器で加熱された高温の温水が高温端末に供給される。供給される温水の温度は高温温度センサーで検出して、検出した温度が所定の高温目標温度に近付くように、バーナーの運転を制御する。こうすることによって、高温端末には適切な温度の温水を供給することができる。高温端末で放熱して冷やされた温水は、戻り配管を介して温水タンクに還流されて、一旦、溜められる。そして、温水タンクから温水ポンプで顕熱熱交換器に送られて、再び加熱されて高温端末に供給されることによって、高温暖房が継続される。また、低温暖房時には、顕熱熱交換器で加熱された温水がバイパス配管を経由して温水タンクに供給されて、高温端末または低温端末で放熱した温水と温水タンク内で混合した後、温水ポンプで低温端末に供給される。供給される温水の温度は低温温度センサーで検出して、検出した温度が所定の低温目標温度に近付くように、バーナーの運転を制御する。こうすることによって、低温端末にも適切な温度の温水を供給することができる。低温端末で放熱して冷やされた温水は、戻り配管を介して温水タンクに還流されて、一旦、溜められる。そして、温水タンクから温水ポンプで低温端末に送られて、低温暖房が継続される。ここで、高温温度センサーの異常発生中に高温暖房時を行う場合には、低温温度センサーで検出した温水の温度が、高温目標温度よりも低い温度に設定された代用高温目標温度を下回っている場合に、バーナーを燃焼させて温水を加熱することによって、高温暖房を行う。
【００１０】
こうすれば、高温温度センサーが故障した場合でも、低温温度センサーで検出した温水の温度、すなわち、顕熱熱交換器に流入する温水の温度を高温目標温度よりも低く制御することができる。このため、顕熱熱交換器で加熱されて高温端末へ供給される温水を、高温暖房に適した温度に保った状態で高温暖房を行うことが可能となる。また、低温温度センサーで検出した温水の温度、すなわち、顕熱熱交換器に流入する温水の温度が、代用高温目標温度を下回っている場合にバーナーを燃焼させて温水を加熱し、温水の温度が代用高温目標温度を上回ったらバーナーの燃焼を停止するので、顕熱熱交換器で温水の温度が異常に上昇する事態を抑制することができる。
【００１１】
また、上述した本発明の温水暖房装置においては、低温温度センサーで検出した温水の温度に基づいて高温暖房を行っている時に、低温温度センサーで検出した温水の温度が、時間あたりに所定の許容増加量以上に増加した場合には、バーナーの燃焼を停止させることとしてもよい。
【００１２】
低温温度センサーを用いて高温暖房を行っているということは、高温温度センサーが故障しているということであるから、顕熱熱交換器で温水の異常昇温が発生しても、高温温度センサーでは検知することができない。しかし、顕熱熱交換器から流出した温水の一部は、バイパス配管を介して温水タンクに流入するので、顕熱熱交換器で温水の異常昇温が発生すると、温水タンクの温度が急に上昇する。従って、低温温度センサーで検出した温水の温度が、時間あたりに所定の許容増加量以上に増加したか否かに着目すれば、顕熱熱交換器での異常昇温の発生を速やかに検知することができる。そして、異常昇温の発生が検知された場合には、バーナーの燃焼を停止させることとしてやれば、熱交換器が損傷する事態を回避することが可能となる。
【００１３】
また、上述した本発明の温水暖房装置においては、顕熱熱交換器で熱交換した燃焼排ガスと更に熱交換して、燃焼排ガス中の水蒸気が凝集する時の潜熱を回収する潜熱熱交換器を備え、顕熱熱交換器で加熱される前の温水を、潜熱熱交換器を用いて予備加熱することとしてもよい。この場合、温水タンクには、高温端末または低温端末で放熱した温水を、潜熱熱交換器で予備加熱してから、温水タンクに溜めておく。そして、低温温度センサーで検出した温水の温度に基づいて高温暖房を行っている時に、低温温度センサーで検出した温水の温度が、所定の限界温度を超えた場合には、バーナーの燃焼を停止させることとしてもよい。
【００１４】
低温温度センサーを用いて高温暖房を行っているということは、高温温度センサーで異常が発生しているということであるから、顕熱熱交換器で温水の異常昇温が発生しても、高温温度センサーでは検知することができない。しかし、顕熱熱交換器で温水が異常昇温している状態では、顕熱熱交換器に流入した燃焼排ガスが十分に熱交換することなく、熱いまま潜熱熱交換器に流入することになる。その結果、潜熱熱交換器からは通常よりも高温の温水が流出するようになり、温水タンク内の温水の温度も、通常の温度よりは高くなる。従って、低温温度センサーで検出した温水の温度が、所定の限界温度を超えたか否かに着目すれば、顕熱熱交換器での異常昇温の発生を速やかに検知することができる。そして、異常昇温の発生が検知された場合には、バーナーの燃焼を停止させることとしてやれば、熱交換器が損傷する事態を回避することが可能となる。
【００１５】
また、上述した本発明の温水暖房装置においては、高温温度センサーで検出した温水の温度が、低温温度センサーで検出した温水の温度よりも低くなった場合には、高温温度センサーが故障したものと判断することとしてもよい。
【００１６】
高温温度センサーは顕熱熱交換器で加熱された温水の温度を検出し、低温温度センサーは顕熱熱交換器で加熱される前の温水の温度を検出するから、高温温度センサーで検出した温度が、低温温度センサーで検出した温度よりも低くなることはない。従って、高温温度センサーで検出した温度が、低温温度センサーで検出した温度よりも低くなった場合に、高温温度センサーが故障しているものとすれば、高温温度センサーの故障を簡単に検知することが可能となる。
【図面の簡単な説明】
【００１７】
【図１】本実施例の温水暖房装置１の構成を示す説明図である。
【図２】高温暖房運転時の温水の流れを示す説明図である。
【図３】低温暖房運転時の温水の流れを示す説明図である。
【図４】本実施例の温水暖房装置１が暖房運転を行う処理の一部を示すフローチャートである。
【図５】本実施例の温水暖房装置１が暖房運転を行う処理の残りの部分を示すフローチャートである。
【図６】本実施例の温水暖房装置１が温水の異常昇温による顕熱熱交換器１３ａの損傷を回避可能な理由を示す説明図である。
【図７】顕熱熱交換器１３ａで温水の異常昇温が発生した場合の各箇所での温度変化を示した説明図である。
【発明を実施するための形態】
【００１８】
Ａ．装置構成  ：
図１は、本実施例の温水暖房装置１の構成を示す説明図である。図示されるように温水暖房装置１は、温水を生成する給湯器１０と、生成した温水が溜められる温水タンク２５と、温水タンク２５内の温水を圧送する温水ポンプ２０と、それらに接続される各種の配管類と、給湯器１０や温水ポンプ２０の動作を制御する制御部５０とを備えている。
【００１９】
給湯器１０には、燃料ガスを燃焼させるバーナー１１や、バーナー１１によって生成された高温の燃焼排気と熱交換して温水を生成する熱交換器１３や、バーナー１１に燃焼用空気を供給する燃焼ファン１２が収納されている。
【００２０】
バーナー１１は、大火力の大バーナー１１ａと、小火力の小バーナー１１ｂとを備えており、それぞれにはガス配管１６を介して燃料ガスが供給される。大バーナー１１ａの上流側のガス配管１６には、大バーナー１１ａへの燃料ガスの供給を制御する電磁弁１５ａが設けられており、小バーナー１１ｂの上流側のガス配管１６には、小バーナー１１ｂへの燃料ガスの供給を制御する電磁弁１５ｂが設けられている。このため、電磁弁１５ａあるいは電磁弁１５ｂを制御して大バーナー１１ａあるいは小バーナー１１ｂに供給される燃料ガスの流量を制御することにより、大バーナー１１ａあるいは小バーナー１１ｂの火力を個別に調整することができる。更に、電磁弁１５ａおよび電磁弁１５ｂの上流側のガス配管１６には元電磁弁１４が設けられており、元電磁弁１４を閉じてやれば、大バーナー１１ａおよび小バーナー１１ｂへの燃料ガスの供給を同時に停止させて、燃焼運転を停止させることが可能となっている。
【００２１】
熱交換器１３は、顕熱熱交換器１３ａと潜熱熱交換器１３ｂとを備えている。顕熱熱交換器１３ａは、バーナー１１が生成した高温の燃焼排ガスに曝される位置に設けられており、このため顕熱熱交換器１３ａの内部を通過する温水は、高温の燃焼排ガスと熱交換することによって加熱されて、高温の温水となって顕熱熱交換器１３ａの出口側から流出する。また、潜熱熱交換器１３ｂは、顕熱熱交換器１３ａで熱交換した後の燃焼排ガスが通過する位置に設けられており、潜熱熱交換器１３ｂの内部には温度が低い温水が通過するようになっている。このため、顕熱熱交換器１３ａで熱交換して冷やされた燃焼排ガスは、潜熱熱交換器１３ｂを通過する際に更に冷やされることになって、燃焼排ガス中の水蒸気が凝集する。この時の水蒸気の潜熱が潜熱熱交換器１３ｂによって回収されて、潜熱熱交換器１３ｂの内部を通過する温水を予備加熱することになる。尚、潜熱熱交換器１３ｂは燃焼排ガスに含まれる水蒸気の潜熱を回収するに過ぎないので、高温の燃焼排ガスと熱交換する顕熱熱交換器１３ａのように高い温度まで温水を加熱することはできない。従って、潜熱熱交換器１３ｂを通過することによって得られる温水は、顕熱熱交換器１３ａを通過することによって得られる温水よりも低温の温水となっている。
【００２２】
潜熱熱交換器１３ｂの出口側は、第１中継配管２３を介して温水タンク２５に接続されており、潜熱熱交換器１３ｂで予備加熱された低温の温水は、一旦、温水タンク２５に溜められる。尚、温水タンク２５の容積は高々５００〜８００ｃｃ程度である。また、温水タンク２５は温水で満たされているわけではないので、温水タンク２５に溜められている温水の体積は、更に少なくなる。
【００２３】
温水タンク２５は、第２中継配管２４を介して、顕熱熱交換器１３ａの入口側に接続されており、第２中継配管２４の途中には温水ポンプ２０が搭載されている。このため、温水ポンプ２０を駆動すると、温水タンク２５内の温水が顕熱熱交換器１３ａに向けて圧送されることになる。そして、顕熱熱交換器１３ａの出口側は、高温温水配管２１を介して浴室暖房器などの高温端末２に接続されている。尚、本実施例の第２中継配管２４は、本発明の「接続温水配管」に該当する。
【００２４】
また、第２中継配管２４からは、温水ポンプ２０と顕熱熱交換器１３ａとの間で低温温水配管２６が分岐しており、この低温温水配管２６は、床マットなどの低温端末３に接続されている。そして、高温温水配管２１を介して高温端末２に供給された温水、あるいは低温温水配管２６を介して低温端末３に供給された温水は、何れも、戻り温水配管２２を介して潜熱熱交換器１３ｂの入口側に還流される。更に、高温温水配管２１からは、高温温水配管２１よりも小径のバイパス配管２７が分岐しており、バイパス配管２７は温水タンク２５に接続されている。
【００２５】
高温温水配管２１には、高温温水配管２１の内部を通過する温水の温度を検出する高温温度センサー３０が搭載されている。更に、温水タンク２５と顕熱熱交換器１３ａとを接続する第２中継配管２４にも、第２中継配管２４の内部を通過する温水の温度を検出する低温温度センサー３１が搭載されている。そして、高温温度センサー３０および低温温度センサー３１の出力は、制御部５０に入力されている。
【００２６】
制御部５０は、ＣＰＵやＲＡＭやＲＯＭなどを搭載したいわゆるマイクロコンピューターであり、ＲＯＭに記憶されているプログラムを読み出すことによって様々な処理を実行することができる。また、制御部５０は、高温端末２や、低温端末３、温水ポンプ２０、燃焼ファン１２、元電磁弁１４、電磁弁１５ａ，１５ｂにも接続されている。そして、温水暖房装置１のユーザーが、高温端末２の図示しない運転ボタンを操作すると、その情報が制御部５０に伝わって、制御部５０が給湯器１０や温水ポンプ２０の動作を制御することにより、温水暖房装置１による高温暖房運転が開始される。また、温水暖房装置１のユーザーが、低温端末３の図示しない運転ボタンを操作すると、その情報が制御部５０に伝わって、温水暖房装置１による低温暖房運転が開始されるようになっている。
【００２７】
Ｂ．高温暖房運転および低温暖房運転の概要  ：
図２は、温水暖房装置１が高温端末２に温水を供給して高温暖房運転を行う様子を示した説明図である。温水暖房装置１のユーザーが高温端末２の図示しない高温暖房運転ボタンを押すと、高温端末２に内蔵された図示しない電磁弁が開いて、高温端末２の内部を温水が通過可能になるとともに、高温暖房運転を開始する旨の信号が制御部５０に伝わって、温水ポンプ２０の駆動が開始される。温水ポンプ２０は、温水タンク２５に溜まっている温水を、第２中継配管２４を介して顕熱熱交換器１３ａに向けて圧送する。尚、第２中継配管２４からは、低温端末３に接続された低温温水配管２６が分岐しているが、低温端末３の低温暖房運転ボタン（図示は省略）が押されていない場合は、低温端末３内の図示しない電磁弁は閉じた状態となっている。このため、温水ポンプ２０で圧送された温水が、第２中継配管２４から低温温水配管２６に分岐して流れることはなく、全ての温水が顕熱熱交換器１３ａを通過する。図２中で、低温温水配管２６および低温端末３が破線で示されているのは、低温温水配管２６および低温端末３には温水が流れないことを表している。
【００２８】
そして、顕熱熱交換器１３ａから流出した温水は、高温温水配管２１を介して高温端末２に供給される。この時、高温温度センサー３０は、顕熱熱交換器１３ａから流出した温水の温度を検出して制御部５０に出力する。制御部５０は、高温温度センサー３０で検出した温水の温度と、所定の高温目標温度（代表的には、８０℃）とを比較して、温水の温度が低いと判断した場合には、燃焼ファン１２を回転させるとともに、電磁弁１５ａあるいは電磁弁１５ｂを開いて大バーナー１１ａあるいは小バーナー１１ｂに燃料ガスを供給して、大バーナー１１ａあるいは小バーナー１１ｂでの燃焼運転を開始する。すると、大バーナー１１ａあるいは小バーナー１１ｂで生成された高温の燃焼排ガスが、顕熱熱交換器１３ａで熱交換することによって顕熱熱交換器１３ａ内を通過する温水を加熱する。その結果、顕熱熱交換器１３ａでは高温の温水が生成されて、高温温水配管２１を介して高温端末２に供給される。高温端末２は、こうして供給された高温の温水の熱を放熱することによって、高温暖房を実現する。また、高温の温水は、高温端末２で放熱されることによって温度が低下する。そして、高温端末２で冷やされた温水は、高温端末２から戻り温水配管２２を経由して潜熱熱交換器１３ｂに還流される。
【００２９】
大バーナー１１ａあるいは小バーナー１１ｂの燃焼運転中は、顕熱熱交換器１３ａで熱交換した後の燃焼排ガスが潜熱熱交換器１３ｂの間を通過する。この時、燃焼排ガスに含まれる水蒸気の潜熱が潜熱熱交換器１３ｂによって回収されて、潜熱熱交換器１３ｂ内を流れる温水が予備加熱される。そして、潜熱熱交換器１３ｂで予備加熱された温水は、温水タンク２５に溜められた後、再び、温水ポンプ２０によって顕熱熱交換器１３ａに圧送されて、顕熱熱交換器１３ａで加熱され、高温温水配管２１を介して高温端末２に供給される。また、このようにして熱交換器１３で加熱しながら温水を循環させている間に、高温温水配管２１を流れる温水の温度が、前述した高温目標温度よりも高いと判断した場合には、電磁弁１５ａあるいは電磁弁１５ｂの開度を絞ることによって、大バーナー１１ａあるいは小バーナー１１ｂの火力を小さくする。更に、高温温水配管２１を流れる温水の温度が、高温目標温度と比較して上がりすぎたと判断した場合には、温水ポンプ２０は駆動したまま、大バーナー１１ａあるいは小バーナー１１ｂの燃焼運転を停止する。すると、高温端末２での高温暖房に伴う放熱によって温水の温度が次第に低下していく。そして、高温温水配管２１を流れる温水の温度が、高温目標温度に対して低いと判断されたら、再び、大バーナー１１ａあるいは小バーナー１１ｂの燃焼運転を開始する。このような動作を繰り返すことによって、高温暖房運転が行われる。尚、高温暖房運転中も、高温温水配管２１を流れる温水の一部は、高温端末２や顕熱熱交換器１３ａを流れることなく、バイパス配管２７を介して、温水タンク２５に直接還流するようになっている。
【００３０】
図３は、温水暖房装置１が低温端末３に温水を供給して低温暖房運転を行う様子を示した説明図である。低温暖房運転の場合も、温水暖房装置１のユーザーが低温端末３の図示しない低温暖房運転ボタンを押すと、図示しない電磁弁が開いて低温端末３の内部を温水が通過可能になるとともに、低温暖房運転を開始する旨の信号が制御部５０に伝わって、温水ポンプ２０の駆動が開始される。温水ポンプ２０は、温水タンク２５に溜まっている温水を、顕熱熱交換器１３ａに向けて圧送する。但し、高温端末２の高温暖房運転ボタンが押されていない場合は、高温端末２には温水が流れない。このため、顕熱熱交換器１３ａには、小径のバイパス配管２７を介して温水タンク２５に還流する分の温水しか流れない。その代わりに、低温端末３に温水が流れるようになっているので、温水ポンプ２０で圧送された温水は、第２中継配管２４から分岐した低温温水配管２６を介して低温端末３に供給される。図３中で、バイパス配管２７の分岐位置よりも下流側の高温温水配管２１と、高温端末２とが破線で示されているのは、温水が流れないことを表している。
【００３１】
そして、低温端末３に供給された温水は、低温端末３で放熱されて冷やされた後、温水配管２２を介して潜熱熱交換器１３ｂに還流する。前述したように、大バーナー１１ａあるいは小バーナー１１ｂで燃焼運転が行われている場合は、潜熱熱交換器１３ｂで燃焼排ガス中の水蒸気の潜熱が回収されて、潜熱熱交換器１３ｂを通過する温水が予備加熱された後、温水タンク２５に流入する。尚、大バーナー１１ａあるいは小バーナー１１ｂでの燃焼運転が行われていない場合は、潜熱熱交換器１３ｂで温水が予備加熱されることはない。温水ポンプ２０は、こうして温水タンク２５に流入した温水を、低温温水配管２６および顕熱熱交換器１３ａに向けて圧送する。低温温度センサー３１は、温水ポンプ２０が圧送した温水の温度を検出して制御部５０に出力する。制御部５０は、低温温度センサー３１で検出した温水の温度と、所定の低温目標温度（代表的には６０℃）とを比較して、温水の温度が低いと判断した場合には、大バーナー１１ａあるいは小バーナー１１ｂでの燃焼運転を開始する。すると、顕熱熱交換器１３ａで生成された高温の温水が、バイパス配管２７を介して温水タンク２５に流入して、温水タンク２５内の温水の温度を上昇させる。更に、大バーナー１１ａあるいは小バーナー１１ｂで燃焼運転を開始すると、潜熱熱交換器１３ｂで温水が予備加熱されることになるので、この点からも温水タンク２５内の温水の温度が上昇していく。その結果、低温温度センサー３１で検出される温水の温度が、低温目標温度よりも高いと判断した場合には、電磁弁１５ａあるいは電磁弁１５ｂの開度を絞ることによって、大バーナー１１ａあるいは小バーナー１１ｂの火力を小さくする。更に、温水の温度が、低温目標温度と比較して上がりすぎたと判断した場合には、温水ポンプ２０は駆動したまま、大バーナー１１ａあるいは小バーナー１１ｂの燃焼運転を停止する。すると、低温端末３での放熱によって温水の温度が次第に低下していく。そして、低温温度センサー３１で検出される温水の温度が、低温目標温度に対して低いと判断されたら、再び、大バーナー１１ａあるいは小バーナー１１ｂの燃焼運転を開始する。このような動作を繰り返すことによって、低温暖房運転が行われる。
【００３２】
このように、制御部５０は、高温暖房運転中には高温温度センサー３０で温水の温度を検出し、低温暖房運転中には低温温度センサー３１で温水の温度を検出することによって、大バーナー１１ａあるいは小バーナー１１ｂの燃焼運転を制御している。また、制御部５０は、高温暖房運転中および低温暖房運転中の何れの場合も、高温温度センサー３０で検出した温水の温度を監視しており、温水の温度が所定の許容温度（例えば９５℃）を超えた場合には、元電磁弁１４を閉鎖することによって大バーナー１１ａあるいは小バーナー１１ｂの燃焼運転を緊急停止するようになっている。これは、何らかの理由で顕熱熱交換器１３ａ内の温水が沸騰するなど異常昇温した場合には、直ちに燃焼運転を停止することによって、顕熱熱交換器１３ａの損傷を回避するためである。
【００３３】
当然ながら、高温温度センサー３０や低温温度センサー３１も故障することがある。高温温度センサー３０が故障すると前述した高温暖房運転ができなくなり、低温温度センサー３１が故障すると前述した低温暖房運転ができなくなる。そこで、低温温度センサー３１が故障した場合には、低温温度センサー３１の代わりに高温温度センサー３０を用いて、低温暖房運転を行うことは試みられてきた。ところが、高温温度センサー３０が故障した場合に、低温温度センサー３１で高温温度センサー３０を代用することによって高温暖房運転を行うことについては検討されてこなかった。これは、低温温度センサー３１の出力しか利用できない状況では、顕熱熱交換器１３ａ内の温水が異常昇温した場合に、大バーナー１１ａあるいは小バーナー１１ｂの燃焼運転を緊急停止することができないためである。すなわち、高温温度センサー３０が故障していた場合、顕熱熱交換器１３ａから異常に高温の温水が流出しても、そのことを高温温度センサー３０では検出することができず、高温の温水が高温端末２から潜熱熱交換器１３ｂを介して温水タンク２５に還流し、更に、温水ポンプ２０が圧送した温水の温度を低温温度センサー３１で検出して初めて、顕熱熱交換器１３ａから流出した温水が異常に昇温していたことを認識するに過ぎない。当然、顕熱熱交換器１３ａからの温水が高温端末２から潜熱熱交換器１３ｂを介して、温水タンク２５に戻ってくるまでには時間が掛かるから、顕熱熱交換器１３ａの異常昇温の影響が低温温度センサー３１で検知されるまでにも時間が掛かり、その間に、顕熱熱交換器１３ａが損傷する虞が生じると考えられていたためである。
【００３４】
しかし、以下のような方法を用いれば、顕熱熱交換器１３ａから流出する温水の異常昇温が発生したことを、低温温度センサー３１を用いて迅速に検知することができ、顕熱熱交換器１３ａが損傷する前に、大バーナー１１ａあるいは小バーナー１１ｂの燃焼運転を緊急停止することができる。従って、高温温度センサー３０が故障していて、低温温度センサー３１しか使えなくなっている場合でも、低温温度センサー３１を用いて高温暖房運転あるいは低温暖房運転を実施することが可能となる。以下では、本実施例の温水暖房装置１が実施する暖房運転処理について説明する。
【００３５】
Ｃ．暖房運転処理  ：
図４および図５には、本実施例の温水暖房装置１が実施する暖房運転処理のフローチャートが示されている。この処理は、高温端末２の図示しない高温暖房運転ボタン、あるいは低温端末３の図示しない低温暖房運転ボタンが押されると、温水暖房装置１の制御部５０によって開始される処理である。
【００３６】
図４に示されるように、暖房運転処理を開始すると先ず始めに、高温暖房運転か否かを判断する（ＳＴＥＰ１０）。図２を用いて前述したように、高温暖房運転の開始時には高温端末２に搭載された高温暖房運転ボタンが押されて、その信号が制御部５０に出力されるので、高温暖房運転か否かは容易に判断することができる。その結果、高温暖房運転と判断した場合には（ＳＴＥＰ１０：ｙｅｓ）、制御用センサーとして高温温度センサー３０を選択し（ＳＴＥＰ１１）、制御温度として所定の高温目標温度を設定する（ＳＴＥＰ１２）。これに対して、高温暖房運転ではないと判断した場合は（ＳＴＥＰ１０：ｎｏ）、低温暖房運転と判断できるので、制御用センサーとして低温温度センサー３１を選択し（ＳＴＥＰ１３）、制御温度として所定の低温目標温度を設定する（ＳＴＥＰ１４）。
【００３７】
続いて、高温温度センサー３０および低温温度センサー３１の検出温度を取得する（ＳＴＥＰ１５）。そして、高温温度センサー３０から取得した検出温度が、低温温度センサー３１からの検出温度よりも高いか否かを判断する（ＳＴＥＰ１６）。図２あるいは図３を用いて前述したように、高温温度センサー３０は顕熱熱交換器１３ａで加熱された高温の温水の温度を検出するのに対して、低温温度センサー３１は顕熱熱交換器１３ａで加熱される前の低温の温水の温度を検出する。従って、高温温度センサー３０および低温温度センサー３１が正常であれば、高温温度センサー３０から取得した検出温度の方が、低温温度センサー３１からの検出温度よりも高いはずである。
【００３８】
そこで、高温温度センサー３０の検出温度の方が、低温温度センサー３１の検出温度よりも高い場合には（ＳＴＥＰ１６：ｙｅｓ）、高温温度センサー３０および低温温度センサー３１は何れも正常であると判断できる。そして、制御用センサーの検出温度が制御温度よりも低いか否かを判断する（ＳＴＥＰ１７）。ここで、制御用センサーとは、ＳＴＥＰ１１あるいはＳＴＥＰ１３で選択しておいたセンサーであり、高温温度センサー３０または低温温度センサー３１の何れかである。また、制御温度とは、ＳＴＥＰ１２あるいはＳＴＥＰ１４で選択しておいた温度であり、高温目標温度または低温目標温度の何れかである。その結果、制御用センサーの検出温度が制御温度よりも低い場合は（ＳＴＥＰ１７：ｙｅｓ）、温水の温度を上げるために大バーナー１１ａあるいは小バーナー１１ｂの燃焼運転を開始する（ＳＴＥＰ１８）。尚、大バーナー１１ａあるいは小バーナー１１ｂを既に燃焼運転している場合は、火力を増加させても良い。
【００３９】
そして、燃焼運転を開始（あるいは火力を増加）した場合は、高温温度センサー３０の検出温度が、所定の許容温度（例えば、９５℃）を超えたか否かを判断する（ＳＴＥＰ２０）。すなわち、ＳＴＥＰ１６で「ｙｅｓ」と判断されている場合には、高温温度センサー３０も低温温度センサー３１も故障していないと考えられるので、高温温度センサー３０の検出温度に基づいて、顕熱熱交換器１３ａから流出する温水の異常昇温の有無を検知するのである。その結果、高温温度センサー３０の検出温度が許容温度を超えていない場合は（ＳＴＥＰ２０：ｎｏ）、顕熱熱交換器１３ａでの温水の異常昇温も生じていないと考えられるので、ＳＴＥＰ１５に戻って、再び高温温度センサー３０および低温温度センサー３１の検出温度を取得した後、上述した続く一連の処理を実行する。
【００４０】
これに対して、高温温度センサー３０の検出温度が許容温度を超えていた場合は（ＳＴＥＰ２０：ｙｅｓ）、顕熱熱交換器１３ａで温水が異常昇温していると考えられるので、顕熱熱交換器１３ａの損傷を回避するために、大バーナー１１ａあるいは小バーナー１１ｂでの燃焼運転を緊急停止する（ＳＴＥＰ２１）。図１を用いて前述したように、元電磁弁１４を閉じれば、大バーナー１１ａあるいは小バーナー１１ｂでの燃焼運転を直ちに停止させることができる。
【００４１】
以上では、ＳＴＥＰ１７で、制御用センサーの検出温度が制御温度よりも低いと判断した場合（ＳＴＥＰ１７：ｙｅｓ）について説明した。これに対して、制御用センサーの検出温度が制御温度よりも高かった場合には（ＳＴＥＰ１７：ｎｏ）、大バーナー１１ａあるいは小バーナー１１ｂの燃焼運転を停止する（ＳＴＥＰ１９）。尚、ここでは、説明が煩雑となることを避ける目的で、制御用センサーの検出温度が制御温度よりも高い場合には燃焼運転を停止するものとして説明しているが、検出温度が制御温度より少し高いだけの場合には、大バーナー１１ａあるいは小バーナー１１ｂの火力を小さくしても良い。そして、燃焼運転を停止（あるいは火力を抑制）した場合は（ＳＴＥＰ１９）、顕熱熱交換器１３ａで温水の異常昇温が発生する虞は無いと考えられるので、ＳＴＥＰ１５に戻って、再び高温温度センサー３０および低温温度センサー３１の検出温度を取得した後、上述した続く一連の処理を実行する。もちろん、燃焼運転を停止（あるいは火力を抑制）した場合も（ＳＴＥＰ１９）、念のために、高温温度センサー３０の検出温度が許容温度を超えていないことを確認した後に（ＳＴＥＰ２０：ｎｏ）、ＳＴＥＰ１５に戻っても良い。
【００４２】
高温温度センサー３０が故障していない場合（すなわち、ＳＴＥＰ１６：ｙｅｓ）は、以上のように、高温温度センサー３０の検出温度を用いて顕熱熱交換器１３ａでの異常昇温の発生を検知することができる。ところが、高温温度センサー３０が故障すると、高温温度センサー３０の検出温度を用いて異常昇温の発生を検知することができない。そこで、ＳＴＥＰ１６で「ｎｏ」と判断した場合は、次のようにして暖房運転を実施する。
【００４３】
先ず、制御用センサーとして、低温温度センサー３１を選択する（図５のＳＴＥＰ２２）。これは、高温温度センサー３０が故障していると考えられるので（図４のＳＴＥＰ１６：ｎｏ）、低温温度センサー３１を用いるしかないためである。その後、高温暖房運転か否かを判断する（ＳＴＥＰ２３）。前述したように、高温暖房運転の開始時にはユーザーによって高温端末２の図示しない高温暖房運転ボタンが押されるので、高温暖房運転か否かは容易に判断することができる。
【００４４】
その結果、高温暖房運転と判断した場合は（ＳＴＥＰ２３：ｙｅｓ）、制御温度を、所定の代用高温目標温度に設定する（ＳＴＥＰ２４）。すなわち、図４を用いて前述したように、高温温度センサー３０が故障していない場合に高温暖房運転するのであれば、制御用センサーには高温温度センサー３０を選択し（ＳＴＥＰ１１）、制御温度には高温目標温度を設定（ＳＴＥＰ１２）して、大バーナー１１ａあるいは小バーナー１１ｂでの燃焼運転を制御する（ＳＴＥＰ１８、ＳＴＥＰ１９）。ところが、高温温度センサー３０が故障している場合は、高温暖房運転するのであっても、制御用センサーに低温温度センサー３１を選択するしかないので（図５のＳＴＥＰ２２）、高温目標温度を制御温度に設定することはできない。そこで、高温温度センサー３０の代わりに低温温度センサー３１を用いて高温暖房運転するための目標温度（すなわち、代用高温目標温度）を、制御温度として設定するのである。
【００４５】
また、適切な代用高温目標温度は、次のようにして、実験的に予め求めておくことができる。先ず、図２を用いて前述したように、高温暖房運転を行う場合には、顕熱熱交換器１３ａから流出する温水の温度が高温目標温度となるように、大バーナー１１ａあるいは小バーナー１１ｂの燃焼運転が制御される。そして、顕熱熱交換器１３ａから流出した温水は、高温端末２、潜熱熱交換器１３ｂを経由して、温水タンク２５に戻される。従って、顕熱熱交換器１３ａから流出する温水の温度が低くなれば、温水タンク２５に戻ってくる温水の温度も低くなり、顕熱熱交換器１３ａからの温水の温度が高くなれば、温水タンク２５に戻る温水の温度も高くなる。このことから、顕熱熱交換器１３ａから流出する温水の温度が高温目標温度となっていれば、温水タンク２５に戻ってくる温水の温度も、自ずから一定の温度範囲に収まると考えて良い。逆に言えば、温水タンク２５の温水の温度が一定の温度範囲内にあれば、顕熱熱交換器１３ａから流出する温水の温度は、ほぼ高温目標温度となっていると考えられる。従って、顕熱熱交換器１３ａから高温目標温度の温水が安定して流出している状態で、温水タンク２５内の温水の温度を計測しておき、計測した温度の中から代表的な温度を選択すれば、その温度を、代用高温目標温度として用いることができる。尚、低温暖房と高温暖房とを同時に行う場合を考慮して、代用高温目標温度は、低温目標温度と同等の温度に設定しておいても良い。
【００４６】
これに対して、ＳＴＥＰ２３で、高温暖房運転ではない（従って、低温暖房運転）と判断した場合は（ＳＴＥＰ２３：ｎｏ）、制御温度を、前述した低温目標温度に設定する（ＳＴＥＰ２５）。すなわち、図４を用いて前述したように、低温暖房運転であれば、故障していない低温温度センサー３１を用いて通常通りに制御すればよいので、制御温度には、通常通りに低温目標温度を設定する（ＳＴＥＰ２５）。
【００４７】
続いて、許容温度を、代用許容温度に変更する（ＳＴＥＰ２６）。前述したように、許容温度とは顕熱熱交換器１３ａでの異常昇温の発生有無を検知するための温度である。高温温度センサー３０が故障していない場合は、高温温度センサー３０で検出した温水の温度を許容温度と比較することによって、顕熱熱交換器１３ａでの異常昇温の発生有無を判断した。しかし、高温温度センサー３０が故障している場合は、低温温度センサー３１で検出した温水の温度を用いて、顕熱熱交換器１３ａでの異常昇温の発生有無を判断しなければならない。この時に、低温温度センサー３１で検出した温度と比較される温度が、代用許容温度である。そして、低温温度センサー３１で検出した温度が代用許容温度を超えた場合には、顕熱熱交換器１３ａで異常昇温が発生したものと判断する。尚、本実施例の代用許容温度は、本発明の「限界温度」に対応する。
【００４８】
もちろん、従来は、顕熱熱交換器１３ａで異常昇温が発生しても、その影響が低温温度センサー３１に現れるまでには時間が掛かるので、このような方法で異常昇温を検知したのでは、顕熱熱交換器１３ａの損傷を回避できないものと考えられてきた。しかし、詳細なメカニズムについては後述するが、代用許容温度を適切な値に設定しておけば、低温温度センサー３１で検出した温度を代用許容温度と比較することによっても、顕熱熱交換器１３ａで異常昇温が発生したことを迅速に検知可能なことが判明した。この理由、および代用許容温度を適切に設定する方法については、後ほど詳しく説明する。
【００４９】
許容温度を代用許容温度に変更したら、低温温度センサー３１の検出温度を取得した後（ＳＴＥＰ２７）、検出温度が、ＳＴＥＰ２４あるいはＳＴＥＰ２５で設定しておいた制御温度より低いか否かを判断する（ＳＴＥＰ２８）。その結果、検出温度が制御温度より低い場合は（ＳＴＥＰ２８：ｙｅｓ）、大バーナー１１ａあるいは小バーナー１１ｂの燃焼運転を開始する（ＳＴＥＰ２９）。そして、顕熱熱交換器１３ａでの異常昇温の発生有無を確認するために、低温温度センサー３１の検知温度が、ＳＴＥＰ２６で設定しておいた許容温度（代用許容温度）を超えるか否かを判断する（ＳＴＥＰ３１）。その結果、低温温度センサー３１の検知温度が許容温度を超えた場合は（ＳＴＥＰ３１：ｙｅｓ）、顕熱熱交換器１３ａで異常昇温が発生したものと判断して、大バーナー１１ａあるいは小バーナー１１ｂの燃焼運転を緊急停止する（ＳＴＥＰ３３）。
【００５０】
また、低温温度センサー３１の検知温度が許容温度（代用許容温度）を超えていない場合も（ＳＴＥＰ３１：ｎｏ）、低温温度センサー３１の検出温度の単位時間内での増加量が、許容増加量を超えているか否かを判断し（ＳＴＥＰ３２）、許容増加量を超えていた場合は（ＳＴＥＰ３２：ｙｅｓ）、顕熱熱交換器１３ａで異常昇温が発生したものと判断して、大バーナー１１ａあるいは小バーナー１１ｂの燃焼運転を緊急停止する（ＳＴＥＰ３３）。尚、顕熱熱交換器１３ａでの異常昇温の発生有無を、低温温度センサー３１の検出温度の単位時間内での増加量に基づいて検知可能な理由や、異常昇温の発生有無を判断するために用いる許容増加量を設定する方法についても、後ほど詳しく説明する。
【００５１】
これに対して、低温温度センサー３１の検出温度が許容温度を超えておらず（ＳＴＥＰ３１：ｎｏ）、低温温度センサー３１の検出温度の増加量が許容増加量を超えていない場合は（ＳＴＥＰ３２：ｎｏ）、ＳＴＥＰ２７に戻って、再び低温温度センサー３１の検出温度を取得した後、検出した温度が制御温度より低いか否かを判断する（ＳＴＥＰ２８）。また、低温温度センサー３１の検出温度が制御温度より高かった場合は（ＳＴＥＰ２８：ｎｏ）、大バーナー１１ａあるいは小バーナー１１ｂの燃焼運転を停止（あるいは火力を抑制）した後（ＳＴＥＰ３０）、ＳＴＥＰ２７に戻って、再び低温温度センサー３１の検出温度を取得した後、続く上述した一連の処理（ＳＴＥＰ２８〜ＳＴＥＰ３２）を繰り返す。
【００５２】
このように、本実施例の温水暖房装置１は、高温温度センサー３０が故障している場合でも、低温温度センサー３１で検出した温水の温度を用いて、高温暖房運転を実施することができる。また、顕熱熱交換器１３ａから流出する温水の異常昇温が発生した場合には、そのことを直ちに検知して、顕熱熱交換器１３ａが損傷する前に、大バーナー１１ａあるいは小バーナー１１ｂの燃焼運転を停止することができる。こうしたことが可能となるのは、以下のようなメカニズムによるものである。
【００５３】
図６は、顕熱熱交換器１３ａ内を流れる温水が沸騰した場合の温水の流れを表している。顕熱熱交換器１３ａから流出した高温の温水の大部分は、高温温水配管２１を介して高温端末２に供給されるが、一部の温水はバイパス配管２７を経由して、直ちに温水タンク２５に流入する。
【００５４】
また、温水タンク２５には潜熱熱交換器１３ｂで予備加熱された温水も流入するが、顕熱熱交換器１３ａ内の温水が沸騰するような状況では、顕熱熱交換器１３ａで燃焼排ガスの熱を効率よく吸収することができない。その結果、熱いままの燃焼排ガスが潜熱熱交換器１３ｂに供給されることになるので、潜熱熱交換器１３ｂがあたかも顕熱熱交換器１３ａであるかのように動作することになり、潜熱熱交換器１３ｂから流出する温水の温度が通常よりも明らかに高くなる。このため、顕熱熱交換器１３ａ内の温水が沸騰すると、潜熱熱交換器１３ｂから流出する温水の温度が、直ちに且つ明らかに高くなる。
【００５５】
図７には、顕熱熱交換器１３ａの温水が異常昇温した時の、温水タンク２５内の温水の温度を決める各種の温度変化が示されている。図７中の細い実線は、顕熱交換器１３ａの出口側の温水温度を表しており、図７中の破線は、バイパス配管２７から温水タンク２５に流入する温水の温度を表しており、図７中の一点鎖線は、潜熱熱交換器１３ｂから温水タンク２５に流入する温水の温度を表している。そして、図７中の太い実線が、温水タンク２５内の温水の温度を表している。
【００５６】
顕熱熱交換器１３ａの温水が異常昇温するまえの状態では、温水タンク２５の温度は、潜熱熱交換器１３ｂから流入する温水の温度によってほぼ決定され、バイパス配管２７から高温の温水が流入する分だけ、若干高めの温度となっている。
【００５７】
ところが、顕熱熱交換器１３ａの温水が異常昇温すると、バイパス配管２７から流入する温水の温度も急に高くなる。そして、前述したように温水タンク２５の容量は高々５００〜８００ｃｃ程度であり、温水タンク２５内の温水は更に少なくなる。このため、温水タンク２５内の温水の温度は直ちに上昇する（図７中の太い実線のＡ部を参照のこと）。
【００５８】
また、顕熱熱交換器１３ａ内の温水が沸騰した時に、バイパス配管２７から温水タンク２５に流入する温水の温度は、ほぼ決まっていると考えて良い。従って、顕熱熱交換器１３ａが異常昇温した時に、温水タンク２５内の温度が急上昇する温度増加量ΔＴは、ほぼ決まった値となる。そこで、この温度増加量ΔＴを実験的に予め求めて記憶しておく。そして、温水タンク２５の温水の温度（すなわち低温温度センサー３１の検出温度）が、求めておいた数値以上に急上昇した場合には、顕熱熱交換器１３ａ内の温水が沸騰したものと判断することができる。図５のＳＴＥＰ３２で、顕熱熱交換器１３ａの異常昇温を検知するために用いた許容増加量は、このようにして実験的に求められた数値である。
【００５９】
更に、顕熱熱交換器１３ａの温水が異常昇温すると、熱いままの燃焼排ガスが潜熱熱交換器１３ｂに流入するので、潜熱熱交換器１３ｂから温水タンク２５に流入する温水の温度は、図７中の一点鎖線で示したように、異常昇温前よりも高い温度となる。そして、温水タンク２５の温度は、バイパス配管２７からの更に高温の温水が流入する結果、図７中の太い実線で示したように変化する。このように、顕熱熱交換器１３ａで異常昇温が発生すると、温水タンク２５の温度は、通常の状態よりも明らかに高い温度、しかも速やかに変化する。そこで、温水タンク２５の温水の温度（すなわち低温温度センサー３１の検出温度）に適切な閾値ＴｈＴを設定しておき、閾値の温度を超えたら、顕熱熱交換器１３ａ内の温水が沸騰したものと判断することができる。図５のＳＴＥＰ２６で設定した代用許容温度は、実験的に求めた閾値の温度となっている。
【００６０】
以上に説明したように、本実施例の温水暖房装置１は、高温温度センサー３０が故障した場合でも、低温温度センサー３１の検出温度を用いて高温暖房運転を行うことができる。また、高温暖房運転中あるいは低温暖房運転中に、顕熱熱交換器１３ａ内の温水が異常昇温するような事態が発生した場合にも、バーナー１１の燃焼運転を停止することができるので、熱交換器１３の損傷を回避することができる。
【００６１】
以上、本実施例の温水暖房装置１について説明したが、本発明は上記の実施例に限られるものではなく、その要旨を逸脱しない範囲において種々の態様で実施することが可能である。
【符号の説明】
【００６２】
１…温水暖房装置、      ２…高温端末、            ３…低温端末、
１０…給湯器、          １１…バーナー、          １１ａ…大バーナー、
１１ｂ…小バーナー、    １２…燃焼ファン、        １３ａ…顕熱熱交換器、
１３ｂ…潜熱熱交換器、  １４…元電磁弁、          １５ａ…電磁弁、
１５ｂ…電磁弁、        １６…ガス配管、          ２０…温水ポンプ、
２１…高温温水配管、    ２２…温水配管、          ２３…第１中継配管、
２４…第２中継配管、    ２５…温水タンク、        ２６…低温温水配管、
２７…バイパス配管、    ３０…高温温度センサー、  ３１…低温温度センサー、
５０…制御部。
【図１】
2017172949.tif 000003
【図２】
2017172949.tif 000004
【図３】
2017172949.tif 000005
【図４】
2017172949.tif 000006
【図５】
2017172949.tif 000007
【図６】
2017172949.tif 000008
【図７】
2017172949.tif 000009